【手続補正書】
【提出日】平成20年5月15日(2008.5.15)
【手続補正１】
【補正対象書類名】明細書
【補正対象項目名】特許請求の範囲
【補正方法】変更
【補正の内容】
【特許請求の範囲】
【請求項１】
画像を少なくとも一つのビットマップとして記憶するためのビットマップ含有ファイルの印刷性能を向上するための方法であって、
前記方法は、
少なくとも一つのビットマップとして記憶された画像を含むデータコンポーネントと、
ディレクトリコンポーネントと、を含むビットマップ含有ファイルを受け取るステップと、
前記ディレクトリコンポーネント内に配するために印刷セッティングを確立するステップと、前記ディレクトリコンポーネントに配するために前記印刷セッティングをテキストデータにフォーマットするステップと、
を含む前記方法。
【請求項２】
ファイル転送のためのプロトコルを介して前記フォーマットされたビットマップ含有ファイルをプロダクションプリンタへ送信するステップと、
前記送信されたビットマップ含有ファイルがタグイメージファイルフォーマットを表すか否かを検出するステップと、
前記プロダクション印刷セッティングを前記ディレクトリコンポーネントからアクセスするステップと、
前記検出されたビットマップ含有ファイルが前記タグイメージファイルフォーマットを表す場合、前記データコンポーネントを印刷するために、前記ビットマップ含有ファイルをタグ付けファイルフォーマットインタープリタへ送信するステップと、
を更に含む、
請求項１に記載の方法。
【請求項３】
タグイメージファイルフォーマットファイルの印刷性能を向上システムであって、
前記システムは、ビットマップとして記憶される少なくとも一つの画像を含むデータコンポーネントと、ディレクトリコンポーネントと、を含むタグイメージファイルフォーマットファイルを受信するためのバッファメモリと、
前記ディレクトリコンポーネント内でプロダクション印刷セッティングを配するためのプロセッサと、
前記プロセッサに関連し、前記ディレクトリコンポーネントにテキストデータとして前記プロダクション印刷セッティングをフォーマットするためのフォーマッタと、
を備えるシステム。
【手続補正２】
【補正対象書類名】明細書
【補正対象項目名】００４９
【補正方法】変更
【補正の内容】
【００４９】
本発明の方法とシステムの前述の記述は、本発明の幾つかの例示の実施の形態を述べている。これらの例示の実施の形態の変更、他の構成及びバリエーションが可能であり、それらは本発明の範囲に入る。従って、以下の請求項は、ここで開示された明細書と一致し且つここで開示された好適な実施の形態の態様によって不当に制限されることがない、合理的で最も広い解釈を可能としている。
本発明は、次のような特徴を有する。
（１）画像を少なくとも一つのビットマップとして記憶するためのビットマップ含有ファイルの印刷性能を向上するための方法であって、前記方法は、少なくとも一つのビットマップとして記憶された画像を含むデータコンポーネントと、ディレクトリコンポーネントと、を含むビットマップ含有ファイルを受け取るステップと、前記ディレクトリコンポーネント内に配するために印刷セッティングを確立するステップと、前記ディレクトリコンポーネントに配するために前記印刷セッティングをテキストデータにフォーマットするステップと、を含む前記方法。
（２）前記受け取るステップは、更に、タグイメージファイルフォーマットを前記ビットマップ含有ファイルとして受け取ることを含む、（１）に記載の方法。
（３）前記受け取るステップは、複数のデータブロックを前記データコンポーネントとして、及び複数のディレクトリブロックを前記ディレクトリコンポーネントとして受信することを含む、（１）に記載の方法。
（４）前記データブロックと前記ディレクトリブロックは、互いに関して任意のシーケンシャル順序で配置され、先行するディレクトリブロックが、後続のディレクトリブロックへの参照を含む、（２）に記載の方法。
（５）前記テキストデータは、アスキー（ＡＳＣＩＩ）フォーマットである、（２）に記載の方法。
（６）前記フォーマットするステップは、専用の又は知的財産権のあるデジタルシンタックススキームと互換性のある前記印刷セッティングのシンタックスを確立することを含む、（１）に記載の方法。
（７）ファイル転送のためのプロトコルを介して前記フォーマットされたビットマップ含有ファイルをプロダクションプリンタへ送信するステップを更に含む、（１）に記載の方法。
（８）前記送信されたビットマップ含有ファイルがタグイメージファイルフォーマットを表すか否かを検出するステップと、前記プロダクション印刷セッティングを前記ディレクトリコンポーネントからアクセスするステップと、前記検出されたビットマップ含有ファイルが前記タグイメージファイルフォーマットを表す場合、前記データコンポーネントを印刷するために、前記ビットマップ含有ファイルをタグ付けファイルフォーマットインタープリタへ送信するステップと、を更に含む、（７）に記載の方法。
（９）前記アクセスするステップは、前記ディレクトリコンポーネントの少なくとも一つのディレクトリデータブロックから前記プリントセッティングを複写することを備える、（８）に記載の方法。
（１０）前記アクセスするステップは、前記データコンポーネントと前記ディレクトリコンポーネントを変更することなしに、前記ディレクトリコンポーネントの少なくとも一つのディレクトリデータブロックから前記プリントセッティングを抽出することを含む、（８）に記載の方法。
（１１）標準タグイメージファイルフォーマットに適合出来るプリンタで前記ファイルを印刷するステップを更に備え、前記プリンタは、印刷セッティングを含む、前記ディレクトリコンポーネントの少なくとも一つのディレクトリブロックを無視すること、を含む、（１）に記載の方法。
（１２）タグイメージファイルフォーマットファイルの印刷性能を向上システムであって、前記システムは、ビットマップとして記憶される少なくとも一つの画像を含むデータコンポーネントと、ディレクトリコンポーネントと、を含むタグイメージファイルフォーマットファイルを受信するためのバッファメモリと、 前記ディレクトリコンポーネント内でプロダクション印刷セッティングを配するためのプロセッサと、前記プロセッサに関連し、前記ディレクトリコンポーネントにテキストデータとして前記プロダクション印刷セッティングをフォーマットするためのフォーマッタと、を備えるシステム。
（１３）前記データコンポーネントは、複数のデータブロックを備え、前記ディレクトリコンポーネントは、複数のディレクトリブロックを、含む（１２）に記載のシステム。
（１４）前記データブロックと前記ディレクトリブロックは、互いに関して任意のシーケンシャル順序で配置され、先行するディレクトリブロックが、後続のディレクトリブロックへの参照を含む、（１３）に記載のシステム。
（１５）前記テキストデータは、アスキー（ＡＳＣＩＩ）フォーマットである、（１２）に記載のシステム。
（１６）前記フォーマッタは、専用の又は知的財産権のあるデジタルシンタックススキームと互換性のある前記プロダクション印刷セッティングのシンタックスを確立する、（１２）に記載のシステム。
（１７）前記フォーマットされたファイルをファイルプロトコルによってプロダクションプリンタへ送信するための送信機と通信する送信機を更に備える、（１２）に記載のシステム。
（１８）前記送信されたビットマップ含有ファイルが標準タグ付け画像フォーマットファイルであるか否かを検出する検出器と、プロダクション印刷セッティングを前記ディレクトリコンポーネントからアクセスする印刷プロダクトプロセッサと、前記データコンポーネントを印刷するために、前記印刷プロダクションプロセッサと通信をするインタープリタと、を更に備える（１７）に記載のシステム。
（１９）前記印刷プロダクションプロセッサは、前記ディレクトリコンポーネントの少なくとも一つのディレクトリデータブロックから前記プロダクション印刷セッティングを複写する、（１８）に記載のシステム。
（２０）前記印刷プロダクションプロセッサは、前記データコンポーネントと前記ディレクトリコンポーネントを変更することなしに、前記画像ファイルディレクトリの少なくとも一つのディレクトリデータブロックから前記プロダクション印刷セッティングを抽出する、（１８）に記載のシステム。
（２１）プリンタは、前記プロセッサと前記フォーマッタの内の一方に連結され、前記プリンタは、標準タグイメージファイルフォーマットファイルのドキュメントと適合性があり、前記プリンタは、プロダクション印刷セッティングを含む、前記ディレクトリコンポーネントの少なくとも一つのディレクトリブロックを無視するようになされた、（１２）に記載のシステム。